(57)【特許請求の範囲】
【請求項１】
薄肉容器と積層体からなり、前記積層体は、熱収縮率の異なる基材が間隔を介した複数の貼り合わせ部で接着されるとともに、その複数の貼り合せ部のうち、少なくとも１個所の貼り合せ部に、略Ｉ字状の切目線が設けられ、前記積層体の内側の基材は熱収縮率が前記積層体の外側の基材より大きく、前記内側の基材が熱収縮するように、前記積層体が前記薄肉容器の外面に取り付けられていることを特徴とする断熱容器。
【発明の詳細な説明】
【０００１】
【発明の属する技術分野】
この発明は、お茶、コーヒー、スープ等の熱湯を注いで食する断熱容器に関するものである。
【０００２】
【従来の技術】
従来、この種の断熱容器には図３（ａ）に示すように、特開平７−４０９６１に開示され、積層体を胴部外面に固着した断熱発現容器が知られている。
【０００３】
前記、積層体を固着した断熱発現容器は、薄肉容器２０の外周壁胴部に熱収縮率の異なる基材を、間隔を開けた貼り合わせ個所で貼り合わせて積層体と成し、その積層体を貼り合わせ個所間に於いて熱収縮率が大きな方を内側として、薄肉容器の外壁面に固着又は装着して、薄肉容器２０に熱湯が注がれる等して高温の熱が加わると固着又は装着した積層体にその熱が伝わり、その積層体が、貼り合わせ個所間に於いて熱収縮率の大きな方を内側として湾曲し、トンネル状の構造体が発現し、このトンネル状の空間が断熱層となる。このトンネル状の構造体の山の部分を把持するようにした断熱容器である。
【０００４】
【発明が解決しようとする課題】
ところが、断熱発現後のトンネル状構造体の外観が単調で、美観的要素が少なく、より変化のある容器への改善が望まれていた。
【０００５】
そこで本発明は、コストが安くて、美観的要素が高く、変化がより楽しめる訴求性の高い断熱容器を提供することを課題とする。
【０００６】
【課題を解決するための手段】
上記の課題を解決するために、本断熱容器は、薄肉容器と積層体からなり、積層体は、熱収縮率の異なる基材が間隔を介した複数の貼り合わせ部で接着されるとともに、その複数の貼り合わせ部のうち、少なくとも１個所の貼り合わせ部に、略Ｉ字状の切目線が設けられ、積層体に於ける熱収縮率の大きい基材を内側として、該内側の基材が熱収縮するように、薄肉容器の外面に取り付けられていることを特徴とする構成を採用したのである。
【０００７】
この発明に係わる断熱容器では、高温の湯が注がれる等して、薄肉容器の外面を通じて積層体に熱が伝わると、従来例と同様にトンネル状構造体が発現するのであるが、積層体の貼り合わせ部に設けた略Ｉ字状切目線によって区切られた積層体の部分が、観音開きのように開かれながら、トンネル状構造体が発現するとともに、両開きされた窓から、薄肉容器の外面が外観上に現れるという大きな違いがある。
【０００８】
従って、その変化の様子が従来には無い変化として楽しめるとともに、断熱発現終了後の形状が変化に富んだ形状となり、一段と美観的要素が向上する。又、その観音開きになったトンネル状構造体の山の部分は、今まで同様に手で把持することができ、断熱機能を劣化させることもない。
【０００９】
【発明の実施の形態】
この発明に係わる断熱発現容器の実施の形態を添付図面に基ずいて説明する。
【００１０】
図１（ａ）乃至（ｃ）に示すように、本発明に係わる断熱容器は、開口処理部を形成した胴部と底部を嵌合固着した薄肉容器１にその胴部の壁面外側へ、概矩形状の積層体Ａが互いに向かい合って胴部１を挟むように取り付けられている。
【００１１】
前記積層体Ａは、図１（ｃ）、及び図２（ａ）に示すように、２層の基材からなり、一方の基材は一軸延伸ポリスチレンフィルムで２５μの厚みの熱収縮フィルム１１で矢印方向に収縮する特性がある。もう一方の基材は、上質紙で６４ｇの坪量の台紙１２からなる。
【００１２】
前記２枚の基材は、その両端縁貼合わせ部９，１０と中央部に幅広貼合わせ部４及びその左右に概ね５〜６ｍｍのピッチ間隔で幅狭貼合わせ部５、７及び６，８が、それぞれ積層体Ａの上下に亙って、帯状に施された耐熱接着剤によって貼り合わされ一体となっている。
【００１３】
又、前記積層体Ａの幅広貼合わせ部４には、積層体Ａの上下端を僅かに残して、幅広貼合わせ部４を左右に帯状に分離する切目線２と、その切目線２の両端にそれぞれ接して横切る切目線３が、幅広貼合わせ部４の両隣の幅狭貼合わせ部５、６にほぼ接するまで施され略Ｉ字状となっている。
【００１４】
前記積層体Ａの薄肉容器１への取り付け方は、図１（ａ）に示すように、薄肉容器１胴部の外壁面に熱収縮率の大きな熱収縮フィルム１１を内側に、熱収縮率の小さい台紙１２を外側にして、固着部５０、５１の２個所で薄肉容器１の母線に沿って、耐熱接着剤によって積層体Ａの上下方向ほぼ全幅に亙って帯状に幅約３ｍｍで固着されている。尚、本実施例では、前記２個所の積層体Ａの固着部５０、５１は、積層体Ａの略Ｉ字状切目線２の両隣に設けられた幅狭貼合わせ部５、６にほぼ対応する位置で固着されている。
【００１５】
以上のように構成された本断熱容器に、高温の飲料等を注ぐと、その熱が薄肉容器１の胴部を介して積層体Ａに伝わり、熱収縮フィルム１１が収縮を始める。
【００１６】
積層体Ａの幅広貼合わせ部４より右側の積層部は、次のように変化する。幅狭貼合わせ部５より右側の積層体の非貼合わせ部３０、３１は、幅狭貼合わせ部５側に擦り寄るようにスライドしながら２つのトンネル状構造体が出現する。
【００１１７】
一方、幅狭貼合わせ部５と切目線３及び切目線２によって区切られた積層体の非貼合わせ部６０は、切目線２を起点として幅狭貼合わせ部５に擦り寄りながら１つのトンネル状構造体が出現する。
【００１８】
積層体Ａの幅広貼合わせ部４より左側の積層部の変化も、前述の右側部と同様に変化しトンネル状構造体が３つ出現する。結果として切目線２、切目線３、幅狭貼合わせ部５に区切られた積層部６０と、切目線２、切目線３、幅狭貼合わせ部６に区切られた積層部６１が、切目線２を起点として観音開き状に左右にスライドして、トンネル状構造体が出現するとともに、積層体Ａの中央部に図２（ａ）に示すように、薄肉容器１の外壁が外観状見える窓１３ができる。このようにトンネル状構造体の出現とともに窓１３ができる様子は見ていて楽しく面白い。
【００１９】
更に、窓１３に対応する位置の薄肉容器１の外壁に、彩色・文字・記号等を施しておけば、収縮変化する前は積層体Ａに覆われて見えなかった前記彩色・文字・記号等が、トンネル状構造体の出現と同時に現われ、より変化の度合いが強調され、視覚的に訴求効果の高い断熱容器となる。
【００２０】
尚、本目的に合致する限り前記基材は他の材質・素材でも構わない。本実施例では、積層体上下端から切目線２の上下端迄の非切込み部を３ｍｍ程度としているが、機能に影響の無い限り任意であるし、切目線３は切目線２の両端を横切るとしているが、切目線２の両端内側近傍で横切ってもよい。さらに、本実施例の固着部５０，５１の２個所のうち何れか１個所でも構わないが、２個所固着したほうが、窓１３がきれいにできるので好ましい。又、前記積層体Ａの幅広貼合わせ部４に施された、切目線２は、直線ではなく蛇行状あるいはジグザグ状でも構わない。
【００２１】
前記実施例では、図１（ｂ）に示すように二層の基材の貼合わせ部５，６，と７，８，の幅の大きさは両端縁貼合わせ部９，１０、とは異なったものとなつているものの、目的に応じてそれぞれ任意の幅に設定して構わない。但し、切目線２が施される幅広貼合わせ部４は、切目線加工時の誤差を考慮して相当幅に設定したほうが好ましい。本実施例では概ね３ｍｍ幅と比較的広くしている。
【００２２】
図２（ｂ）は、他の実施例を示し、積層体Ａの間隔を開けた帯状の貼合わせ部が薄肉容器１の母線に対して斜めに交叉するように取り付け、固着したものであり、他は前記実施例と同要領である。この場合、断熱発現後のトンネル状構造体も母線に対して斜めに交叉するため、構造的変化の創出と手で把持したときの滑り落ちを防止できる効果がある。
【００２３】
図３（ａ）は、その他の実施例を示し略Ｉ字状の切目線を積層体の貼合わせ部の複数個所に設けた実施例で、断熱発現後の形状がより一層変化に富んだ形状となる。この場合、窓をよりきれいな形状で発現させる観点から、薄肉容器１に固着する部位は５，７，８にほぼ対応する位置の３個所で固着することが好ましい。その他は前記実施例と同要領で、作用・効果とも同様である。尚、積層体を薄肉容器１の外面に沿うように筒状にして、前述実施例と同様にＩ字状切目線２，３、を複数個所設けて装着すると、容器胴部全周に亙って断熱部を発現させることもできる。
【００２４】
前記実施例は、錐体容器について記しているが、胴径がトップとボトムで変わらない直筒の場合やその他の変形体でも作用、効果は変わらない。
【００２５】
【発明の効果】
この発明に係わる断熱容器は、以上のように構成されているので、断熱発現時の進行状態が変化に富むとともに、断熱発現後の積層体の形状に美観的要素が一層高まり、訴求効果が高くコストの安い容器を得ることができる。
【図面の簡単な説明】
【図１】（ａ）はこの発明に係わる実施例を示す断熱発現前の斜視図、（ｂ）は積層体の平面図、（ｃ）は積層体の断面図
【図２】（ａ）はこの発明に係わる実施例を示す断熱発現後の斜視図、（ｂ）は他の実施例を示す断熱発現前の斜視図
【図３】積層体のその他の実施例を示す平面図
【図４】（ａ）は従来例の断熱発現後の斜視図、（ｂ）は従来例の積層体平面図
【符号の説明】
１、２０  薄肉容器
２  貼合わせ部を一部残しながら分離する切目線
３  切目線２の端部に接して横切る切目線
４  切目線２が施される貼合わせ部
５、６、７、８、２４、２５、２６、２７、２８  幅狭の貼合わせ部
９、１０、２３、２９  両端部の貼合わせ部
１１、２１  熱収縮フィルム
１２、２２  台紙
１３  積層体の断熱発現後の窓
３０，３１，３２，３３  非貼合わせ部
５０，５１，７０  薄肉容器と積層体の固着部
６０，６１  積層体の観音開きとなる積層部
Ａ、Ｂ  積層体
【図１】
0004577595.tif 000002
【図２】
0004577595.tif 000003
【図３】
0004577595.tif 000004
【図４】
0004577595.tif 000005